(57)【要約】【課題】  建屋構造物と移動手摺との間の乗客の挟まれ事故を防止できる乗客コンベアの安全装置を提供すること。【解決手段】  手摺レール１１と同等の断面形状を有し、前記手摺レール１１の長手方向に対して、横方向に一定量の変位が可能な可動体１８と、欄干２３に固定され、前記可動体１８を内包している外枠１７と、前記可動体１８の長手横方向に一定の押付力を与える弾性体２２とを備えている。【選択図】図４
2010208799.tif 000002
【特許請求の範囲】
【請求項１】
一対の無端状に連結されたチェーンと、このチェーンに結合された多数の連続した踏段と、この踏段の両側に沿って立設された欄干と、この欄干の外周を、前記踏段と同速度で同方向に移動する移動手摺と、この移動手摺を案内する手摺レールとからなる乗客コンベアにおいて、前記手摺レールと同等の断面形状を有し、前記手摺レールの長手方向に対して、横方向に一定量の変位が可能な可動体と、前記欄干に固定され、前記可動体を内包している外枠と、前記可動体の長手横方向に一定の押付力を与える弾性体と、を備えたことを特徴とする乗客コンベアの安全装置。
【請求項２】
前記可動体の長手横方向の異常変位を検出する検出手段と、この検出手段からの異常を認知した検出出力により、前記乗客コンベアの運転を緊急停止させる運転指令手段とを備えたことを特徴とする請求項１記載の乗客コンベアの安全装置。
【請求項３】
前記検出手段は、投光器と受光器とからなり、前記可動体が無負荷状態のときのみ、前記投光器からの信号光が前記受光器で受光されるように、前記可動体の内部壁面に検出片を設けたことを特徴とする請求項２記載の乗客コンベアの安全装置。
【請求項４】
前記外枠の内部長手方向に、支持体に支持され、且つ、高さが交互に異なるように配置された複数の回転体を設け、これらの回転体の上面に前記移動手摺を設置したことを特徴とする請求項１記載の乗客コンベアの安全装置。
【発明の詳細な説明】
【技術分野】
【０００１】
本発明は、エスカレータ等の乗客コンベアに係り、特に、建屋の天井と乗客コンベアの移動手摺とが交差する、いわゆる三角部付近において、乗客が建屋構造物と移動手摺りとの間に挟まれる事故を防止する安全装置に関する。
【背景技術】
【０００２】
先ず、現在普及している一般的なエスカレータの基本構造を、図１１乃至図１３について説明する。
【０００３】
図１１は、従来のエスカレータの基本的な概要構造を側面から見た説明図で、同図に示されているように、エスカレータ等の乗客コンベア（以下、エスカレータと呼ぶ）は、スプロケット１に巻き付けられた、左右一対（左側は不図示）の無端状に連結されたチェーン２を、駆動機３によって回転させ、このチェーン２の全周にわたり装着された多数の連続した踏段４を移動させることで、乗客を搬送する構成になっている。
【０００４】
また、乗客が乗り込む踏段４の左右両側には、移動方向に沿って、欄干５が立設され、さらに、この欄干５の外周には、乗客が掴まるための、樹脂製の移動手摺６が設けられている。この移動手摺６は、欄干５の外周に固定された、鋼製の手摺レール７によって案内され、踏段４と同速度で、同方向に移動するようになっている。
【０００５】
図１２は、従来のエスカレータの片側欄干部の構造を示した断面図であり、ガラス板、またはステンレスパネルなどで形成されている欄干５の上端には、その外周に沿って手摺レール７が固定されている。さらに、この手摺レール７上に移動手摺６が嵌め込まれている。欄干５の上部および下部には、外デッキ８が設置されている。これらの外デッキ８は、欄干５と建物の壁面との間に設けられるか、図示しないが、欄干５の上部に設けられた照明装置のカバーを形成している。他方、欄干５の下部には、内デッキ９に連結具１０を介して踏段４が取り付けられている。
【０００６】
図１３は、図１２のＡ部分の手摺レールと移動手摺との構成を示した断面図である。この手摺レール７は鋼製で、図１３に示すようにその断面は左右対称な「ひ」の字型に形成され、両端には互いに外側を向いたつば部７Ａが備えられている。他方、樹脂製の移動手摺６は、その断面が「Ｃ」字状になっており、その両縁部が、互いに、内側を向いた顎部６Ａを形成している。
【０００７】
移動手摺６は、この顎部６Ａを手摺レール７のつば部７Ａに嵌合させることで、手摺レール７上を脱落することなく、移動走行できる構成になっている。この場合、手摺レール７は外デッキ８を介して欄干５に固定されているので、移動手摺６は、手摺レール７との隙間分を除けば、横方向へは変位しない。
【０００８】
このような従来のエスカレータでは、一般に、建屋内に設置されているエスカレータの通路において、建屋の天井と、エスカレータの移動手摺６、あるいは、隣接するエスカレータの下面とが交差する、いわゆる、三角部が存在する。近年この三角部における挟まれ事故が多発している。
【０００９】
そのため、建築基準法では、三角部における挟まれ事故を防止するため、保護板の設置が義務づけられている。この保護板は、建屋の、例えば、天井部分に固定された固定保護板と、その固定保護板の前方に吊り下げ、固定保護板への接近を警告するための可動警告板とで、構成されている。
【００１０】
これまでも、この三角部における挟まれ事故を防止するさまざまな安全装置が提案されている。例えば、前記したが、保護板の前方に警告体などを設けて、乗客に三角部への接近を警告するもの、あるいは、保護板にセンサーなどを内蔵させて、保護板と乗客との接触を検知するものなどが提案されている。
【００１１】
しかし、これらの従来技術は、前者の場合、外デッキ、すなわち、欄干から外装板、あるいは、建屋の壁面までの間に設けた、欄干から外側に張り出した意匠体や欄干に、細工が必要なため、これらの意匠性を損なうことがあった。
【００１２】
また、後者の場合は、電源確保のために、保護板まで配線を施設し、あるいは、検出信号を受信するために無線装置を使用するなどの必要があり、構成が煩雑で、装置として高価になってしまうという問題があった。
【００１３】
これに対して、手摺りレールの内部に検出体を設けて、移動手摺りに加わった荷重によって、乗客が欄干から乗り出したことを検知する技術が開示されており（特許文献１）、この技術は、デッキの意匠性も損なわず、構造も簡易である。
【先行技術文献】
【特許文献】
【００１４】
【特許文献１】実開平１−１２１０８６号公報
【発明の概要】
【発明が解決しようとする課題】
【００１５】
しかしながら、近年、建屋に設置した固定保護板と移動手摺との間に、乗客の頭部が挟まれるという事故が発生している。
【００１６】
このような固定保護板と移動手摺りとの間に挟まれる事故に対しては、前記［特許文献１］で開示された技術では、防止することができない。
【００１７】
何故ならば、前記［特許文献１］の開示技術では、建屋の天井と移動手摺との間に挟まれるような、移動手摺の上面から荷重を受ける場合は検知できるが、前述した固定保護板と移動手摺との間に挟まれるような、移動手摺の側面から荷重を受ける場合は検知できないため、挟まれ検知としては不十分であった。
【００１８】
そこで、本発明の目的は、移動手摺りの上面から荷重を受けるような、挟まれ事故だけではなく、移動手摺の側面から荷重を受けるような、挟まれ事故などに対しても完全に防止できる乗客コンベアの安全装置を提供することにある。
【課題を解決するための手段】
【００１９】
本発明の乗客コンベアの安全装置は、一対の無端状に連結されたチェーンと、このチェーンに結合された多数の連続した踏段と、この踏段の両側に沿って立設された欄干と、この欄干の外周を、前記踏段と同速度で同方向に移動する移動手摺と、この移動手摺を案内する手摺レールとからなる乗客コンベアにおいて、前記手摺レールと同等の断面形状を有し、前記手摺レールの長手方向に対して、横方向に一定量の変位が可能な可動体と、前記欄干に固定され、前記可動体を内包している固定体と、前記可動体の長手横方向に一定の押付力を与える弾性体と、を備えたことを特徴とするものである。
【００２０】
また、本発明の乗客コンベアの安全装置においては、前記可動体の長手横方向の異常変位を検出する検出手段と、この検出手段からの異常を認知した検出出力により、前記乗客コンベアの運転を緊急停止させる運転指令手段とを備えたことを特徴とするものである。
【００２１】
さらに、本発明の乗客コンベアの安全装置においては、前記固定体の内部長手方向に、支持体に支持され、高さが異なる回転体を交互に配置し、その上面に移動手摺を設置したことを特徴とするものである。
【発明の効果】
【００２２】
本発明によれば、三角部の固定保護板や建屋の壁面など、建屋の構造物とエスカレータの移動手摺との間に、乗客が頭部などの身体部を挟まれた場合、移動手摺が踏段側に変位するので、挟まれた時に衝撃を和らげ、また、挟まれ部の空間に余裕ができるので、乗客自ら、挟まれた頭などの身体部を抜き取ることができ、したがって、事故の程度を軽減することができる。
【００２３】
また、本発明によれば、安全装置が通常の手摺レールの一部として構成されているため、意匠にも影響がなく、構造も簡易で、装置として安価に実現できる。
【００２４】
さらに、本発明によれば、建屋の構造物とエスカレータの移動手摺との間に、頭部などの身体部を挟まれた場合、エスカレータを自動的に緊急停止させることができるので、乗客への被害を最小限に抑えることができ、また、センサーからの検出信号の出力時間により、挟まれか、或いは、単なる誤動作かを判定しているので、不要動作が少ない、より安全な安全装置を提供することができる。
【００２５】
さらに、本発明によれば、移動手摺を乗り出している乗客に、コツコツといった違和感のある感触を与えることで、危険場所への接近を警告し、乗客に事前に危険を認識させるので、事故発生頻度を大幅に減少させることができる。
【図面の簡単な説明】
【００２６】
【図１】本発明の実施形態に係る乗客コンベアの安全装置を適用したエスカレータの要部側面図である。
【図２】図１の点線丸印Ｂ部分の安全装置と手摺レールとのつなぎ目部分の構造を示した斜視図である。
【図３】図３は、図１の安全装置の構造を分解して示す上面図である。
【図４】図３における矢印Ｃ−Ｃに沿った断面図である。
【図５】本発明の第２の実施形態に係る安全装置の上面図である。
【図６】図５の矢印Ｄ−Ｄに沿った断面図である。
【図７】図５に示す安全装置による運転制御を行うための制御回路の構成を示すブロック図である。
【図８】図７の制御回路を用いて運転制御を行う手順を示したフローチャートである。
【図９】本発明の第３の実施形態に係る安全装置の一部を構成する警告装置の構造を示した側面図である。
【図１０】図９の矢印Ｅ−Ｅに沿った断面図である。
【図１１】従来のエスカレータの構造を示す側面図である。
【図１２】図１１に示す従来のエスカレータの片側欄干部の構造を示す断面図である。
【図１３】図１２の点線で囲われたＡ部分の構造を拡大して示す断面図である。
【発明を実施するための形態】
【００２７】
以下、本発明の実施形態につき、図面を用いて詳細に説明する。
【００２８】
[実施形態１]
本発明の第１の実施形態に係る乗客コンベアの安全装置について図１乃至図４により説明する。
【００２９】
図１は、本発明の実施形態に係る乗客コンベアの安全装置を適用したエスカレータの要部側面図である。同図に示されるように、挟まれ事故が起き易い手摺レール１１の一部区間、すなわち、可動警告板１２および固定保護板１３などが建屋天井１４に設置されている区間に後述する安全装置１５が設置されている。
【００３０】
図２は、図１の点線丸印Ｂ部分の構成を詳細に示した斜視図で、上記安全装置1５と、つば部１１Ａを備えた手摺レール１１とのつなぎ目部分を示している。
【００３１】
安全装置１５は、外デッキ１６に固定されている外枠１７と、その外枠１７内に挿入されていて、つば部１８Ａを備えた可動体１８とからなり、この外枠１７の一方の側面が、その前後に続く手摺レール１１の側面と同一面となるように固定されている。
【００３２】
そして、手摺レール１１のつば部１１Ａ、および可動体１８のつば部１８Ａには、移動手摺１９が取り付けられている。
【００３３】
図３は、安全装置１５の外枠と可動体部を上面から見た説明図で、安全装置１５がエスカレータに設置された状態を示している。
【００３４】
同図において、可動体１８の底面には、その幅方向に長手方向が配置された長穴１８Ｂが、可動体１８の長手方向に沿って複数個設けられている。一方、外枠１７の底面には、内側の向きに複数個のスタッド１７Ａが設けられている。
【００３５】
そして、このスタッド１７Ａを前述した可動体１８の長穴１８Ｂに挿入し、さらに、このスタッド１７Ａにナットなどのストッパー２０を螺合し締め付けることによって、可動体１８を外枠１７に設置するが、この場合、ストッパー２０を完全に締めつけず、可動体１８がその幅方向に移動可能に設置する。
【００３６】
また、外枠１７と可動体１８との隙間２１には、可動体１８の長手方向に沿って複数個のばねなどの弾性体２２が挿入されている。
【００３７】
図４は、安全装置１５を図３における矢印Ｃ−Ｃに沿って切断して示した断面図である。安全装置１５は、断面が「コ」字型の外枠１７と、この外枠１７内に挿入されている断面が「ひ」の字型の可動体１８とからなっている。可動体１８は、その両縁につば部１８Ａが備えられており、そのつば部１８Ａは、左右（図面に対して）で長さが異なった構成になっている。
【００３８】
そして、このつば部１８Ａを覆うように、移動手摺１９が可動体１８の上面に嵌合されている。
【００３９】
また、この可動体１８を外枠１７内に挿入設置する場合、可動体１８の右側面が、外枠１７の右側面、すなわち、踏段の反対側の側面の内面に接触させる位置に設置する。さらに、可動体１８のつば部１８Ａが、その前後に続く手摺レール１１（前記図２）のつば部１１Ａ（前記図２）に連続するように設置する。
【００４０】
外枠１７は、外デッキ１６を挟んで欄干２３に完全固定されており、また、その底面には、図３で示したように、複数個のスタッド１７Ａが設けられていて、このスタッド１７Ａを可動体１８にあけられた長穴１８Ｂ（図３）に挿入し、さらに、ストッパー２０で可動体１８が外枠１７内で移動可能に設置されている。
【００４１】
また、可動体１８の左側面、すなわち、踏段側の側面と外枠１７の左側面との隙間２１には、前述したように、ばねなどの弾性体２２が、可動体１８の長手方向に沿って複数個挿入設置されている。
【００４２】
このような構成において、今、乗客が、例えば、階下を覗こうとして身体を移動手摺１９外に乗り出したため、建屋の壁面（不図示）との間に頭などの身体の一部を挟まれたとする。この場合、移動手摺１９にこれをその幅方向の左側、すなわち、踏段側に変位させるような加重が作用する。この加重は移動手摺１９を介して可動体１８に伝達され、これを踏段側に変位させる。
【００４３】
したがって、乗客は、この移動手摺１９の変位によって、移動手摺１９と建屋の壁面（不図示）などとの隙間が拡大されるため、挟まれた頭などの身体の一部を外すことができ、挟まれ事故を防止することができる。
【００４４】
なお、安全装置１５（図１）が設置される手摺レールの一部区間は、移動手摺１９が横方向に変位するのに十分な長さ、例えば、少なくとも１ｍの長さを有しているものとする。
【００４５】
一方、可動体１８が無負荷時には、外枠１７と可動体１８との隙間２１に設けた弾性体２２により、ある程度の弾性力で、可動体１８は、外枠１７の反踏段側面に押し当てられた状態に保たれている。
【００４６】
したがって、乗客が移動手摺１９を掴むなどの通常の使用状態では、この可動体１８が変位することはない。
【００４７】
また、この可動体１８は、反踏段側から踏段側に荷重を受けた場合のみ、変位する構成になっていて、例えば、乗客が移動手摺１９に寄りかかった状態で安全装置１５の設置区間を通過したり、或いは、荷物をぶつけたりしても、変位はしない。
【００４８】
[実施形態２]
本発明による第２の実施形態を図５および図６について説明する。
【００４９】
なお、図５、図６において、図1乃至図4と同一構成部分には、同一符号を付し、その部分の詳細な説明は省略し、以下では、図1乃至図４と相違する構成部分についてのみ、主として説明する。
【００５０】
図５は、本発明の第２の実施形態に係る安全装置１５の上面図である。図示するように、この安全装置１５（図１）の両端の手摺レール１１内に光電センサーが設置されている。この光電センサーは、安全装置１５の左端に配置された投光器２４Ａと、右端に配置された受光器２４Ｂから構成されている。これら投光器２４Ａおよび受光器２４Ｂは、手摺レール１１内に敷設された配線２４Ｃを介して、制御回路（不図示）に接続されている。
【００５１】
そして、この投光器２４Ａおよび受光器２４Ｂは、可動体１８が弾性体２２によって反踏段側に押し当てられている状態、すなわち、無負荷状態のとき、投光器２４Ａからの信号光を受光器２４Ｂによって受信されるように、配置されている。
【００５２】
また、可動体１８の長手方向の両端部には検出片２５が固定されている。この検出片２５は可動体１８が弾性体２２に抗して踏段側に移動したとき、投光器２４Ａからの信号光を充分に遮るように配置されている。
【００５３】
図６は、安全装置を図５の矢印Ｄ−Ｄに沿って切断した断面図で、可動体１８の長手方向左端（図５）に検出片２５が取り付けられている状態を示している。可動体１８は、長穴１８Ｂ（図５）に挿入されたスタッド１７Ａとこれに螺合されたストッパー２０によって、外デッキ１６を介して欄干２３に取り付けられている。可動体１８は、長穴１８Ｂに沿って移動可能に設置されている。また、可動体１８の左側面と、外枠１７の右側内面との隙間２１には、弾性体２２が配置されている。
【００５４】
このような構成において、乗客が身体を乗り出すなどして、通常状態を超えた荷重が移動手摺１９にかかり、可動体１８が踏段側に弾性体２２に抗して変位すると、投光器２４Ａからの信号光が検出片２５によって遮断される。
【００５５】
投光器２４Ａからの信号光が受光器２４Ｂで受信されないと、センサー（不図示）は検出信号を出力し、その検出信号は配線２４Ｃにより制御回路に取り込まれる。
【００５６】
制御回路では、取り込んだ検出信号の出力時間に閾値を設け、挟まれ事故が発生しているか、或いは、誤動作かを判定し、挟まれ事故と判定された場合は、エスカレータの運転を緊急に停止させる。
【００５７】
図７は、このような安全装置による運転制御を行うための制御回路の構成を示すブロック図で、制御スイッチＳＷ３１からの信号が検出回路３２に送られ、この検出回路３２によって異常か否かが検出され、さらに、その検出信号が運転指令回路３３に送られる。
【００５８】
この運転指令回路３３では、検出信号が異常を認識した信号であれば、運転停止信号を発し、エスカレータを緊急停止させる、一方、異常を認識しない信号であれば、運転はそのまま続行される。
【００５９】
図８は、図７の制御回路を用いて運転制御を行う手順を示したフローチャートで、エスカレータの運転を開始（ステップＳ１）する際、先ず、運転の作動スイッチが作動したか否かが判定され（ステップＳ２）、作動されたと判定されると、次のステップＳ３に進み、検出回路３２（図７）から出力された検出信号の出力時間が、設定した閾値Ａを越えているか否かが判定される（ステップＳ３）。その判定の結果、出力時間が閾値Ａを越えていると判定されたら、運転指令回路３３（図７）から緊急の停止指令が発せられ（ステップＳ４）、エスカレータを停止させる（ステップＳ５）。
【００６０】
一方、ステップＳ３で検出信号の出力時間ｔが、設定した閾値Ａを越えていなければ、エスカレータはそのまま運転が続行される。
【００６１】
[実施形態３]
本発明の第３の実施形態に係る乗客コンベアの安全装置を図９および図１０について説明する。
【００６２】
なお、これらの図において、図1乃至図4と同一構成部分には、同一符号を付し、その部分の詳細な説明は省略し、以下では、主として図1乃至図４と相違する構成部分について説明する。
【００６３】
図９は、本発明の第３の実施形態に係る安全装置の一部を構成する警告装置の構造を示した側面図である。同図において、警告装置２６は、手摺レール１１内の長手方向にナットなどの固定具２７で固定設置されており、複数の支持体２８と、その支持体２８に取り付けられている複数のローラ２９Ａ〜２９Ｅとから構成されている。
【００６４】
そして、この複数のローラ２９Ａ〜２９Ｅは、隣接するローラの高さが互いに異なるように配置されている。
【００６５】
すなわち、本実施形態では、ローラ２９Ａ、２９Ｃおよび２９Ｅと、それらの間に配置されたローラ２９Ｂおよび２９Ｄとは、それぞれその上面の高さが同じであり、高さが異なるローラが交互に配置されている。
【００６６】
ここで、ローラ２９Ａ、２９Ｃおよび２９Ｅの高さは、移動手摺１９に接する高さに配置されており、また、ローラ２９Ｂおよび２９Ｄは、移動手摺１９に接しない低い位置に配置されている。
【００６７】
図１０は、警告装置２６を図９の矢印Ｅ−Ｅに沿って切断した断面図で、手摺レール１１内に、一対の同径のローラ２９が、支持体２８に回転自在に取り付けられている。支持体２８の底部は手摺レール１１の底面にスタッド３０およびナットなどの固定具２７で固定設置されている。
【００６８】
なお、同図のローラ２９は、移動手摺１９に接した高さに配置された状態を示している。また、支持体２８は、前述した安全装置１５（図１）と組み合わせて、その前方部分に設置されている。
【００６９】
このような構成において、乗客が欄干２３の外側を覗き込むなど、移動手摺１９から身体を乗り出した状態で、警告装置２６が設置されている箇所を通過すると、高さが凹凸に並んだローラ２９Ａ〜２９Ｅにより、コツコツといった違和感のある感触を乗客に与えるので、乗客は挟まれ事故が生ずる可能性のある危険区域を事前に察知することができる。
【００７０】
なお、本実施形態では、同径のローラを用いたが、外径が異なる大小のローラを交互に配置しても、同様の効果が得られる。
【符号の説明】
【００７１】
１  スプロケット
２  チェーン
３  駆動機
４  踏段
５，２３  欄干
６，１９  移動手摺
６Ａ  移動手摺の顎部
７，１１  手摺レール
７Ａ，１１Ａ  手摺レールのつば部
８，１６  外デッキ
９  内デッキ
１０  連結具
１２  可動警告板
１３  固定保護板
１４  建屋天井
１５  安全装置
１７  外枠
１７Ａ，３０  スタッド
１８  可動体
１８Ａ  可動体のつば部
１８Ｂ  長穴
２０  ストッパー
２１  隙間
２２  弾性体
２４Ａ  光電センサーの投光器
２４Ｂ  光電センサーの受光器
２５  検出片
２６  警告装置
２７  固定具
２８  支持体
２９Ａ〜２９Ｅ  ローラ
３１  制御スイッチ
３２  検出回路
３３  運転指令回路
【図１】
2010208799.tif 000003
【図２】
2010208799.tif 000004
【図３】
2010208799.tif 000005
【図４】
2010208799.tif 000006
【図５】
2010208799.tif 000007
【図６】
2010208799.tif 000008
【図７】
2010208799.tif 000009
【図８】
2010208799.tif 000010
【図９】
2010208799.tif 000011
【図１０】
2010208799.tif 000012
【図１１】
2010208799.tif 000013
【図１２】
2010208799.tif 000014
【図１３】
2010208799.tif 000015